(57)【特許請求の範囲】
【請求項１】
４本の長脚によって起立するテーブルであって、２本の長脚が桟部によって連結され、ヒンジによって揺動可能にテーブルの天板に装着された当該２本の長脚が連動して開脚および閉脚する構造のテーブルに用いる長脚固定装置において、
前記天板に固定されるベースと、
前記ベースに挿通されたアームピンを軸として揺動するレバーと、
前記レバーの揺動と連動するアームおよびラッチと、を備え、
前記アームおよび前記ラッチが、桟部に装着された受座部を把持することを特徴とする長脚固定装置。
【請求項２】
前記レバーによる操作は、
第１段階で、前記レバーの揺動と連動する前記ラッチが摺動して前記受座部との係止が解除され、
第２段階で、前記レバーと前記アームは連動を開始し、前記アームが揺動して前記受座部との係止が解除されることを特徴とする請求項１に記載の長脚固定装置。
【請求項３】
前記レバーの揺動と連動するフックを備え、
前記フックは、前記ベースが備えるベースピンと係合し、前記アームが固定されることによって、前記桟部が係止されることを特徴とする請求項１に記載の長脚固定装置。
【請求項４】
前記レバーによる操作は、
第１段階で、前記レバーの揺動と連動する前記フックと前記ベースピンとの係合が解除され、
第２段階で、前記レバーと前記アームは連動を開始し、前記アームが揺動して前記桟部との係止が解除されることを特徴とする請求項３に記載の長脚固定装置。
【発明の詳細な説明】
【技術分野】
【０００１】
本発明は、折りたたみが可能なテーブルに関するものであって、詳しくは、テーブルの天板に蝶着した脚部の固定に関するものである。
【背景技術】
【０００２】
テーブルは、不使用時に収納することを想定して、折りたたみが可能な構造にすることがある。天板を垂直にたたむ構造のテーブルは、１枚の天板を傾倒する、天板を分離して対向するように傾倒するなど、収納の形態に合わせた多様な機能を備える。一方、脚を折りたたむ構造のテーブルもまた、脚を１本ずつたたむ、複数の脚を連動してたたむなど、やはり多様な機能を備える。【０００３】
折りたたみが可能な構造を備えるテーブルにおいては、使用時における天板または脚の固定が重要である。使用時に天板または脚が意図せず折り畳まれると、天板に載せた物品が散乱するのみならず、使用者が負傷する危険がある。【０００４】
折りたたみ可能な天板を固定する機構としては、爪状の部材が段部に係止して天板が水平姿勢に拘束されるテーブルが開示されている（特許文献１）。また、脚を天板に対して固定する機構としては、２脚を連動させる連結桟が、天板に取り付けた揺動部材の先端の金具との係合および、揺動部材を付勢するバネの弾性力によって係合部を押さえつける機構によって、脚を起立状態に固定する機構を備えるテーブルが開示されている（特許文献２）。
【先行技術文献】
【特許文献】
【０００５】
【特許文献１】特開２００４−１８７８５１号公報
【特許文献２】特開平４−５４９０５号公報
【発明の概要】
【発明が解決しようとする課題】
【０００６】
先述の係合部と揺動部材の先端の金具とを係止させる構造を備えたテーブルにおいては、金具と連結桟の形状の合致によって、開脚時のがたつきが少ないという利点がある。しかしながら、バネの弾性力には限界があり、特に、長い脚では弾性力が不足し、解除操作によらない予期せぬ外力が揺動部材に働いた場合に、突発的に係合が解除されて脚が折り畳まれることがある。また、バネの弾性力が過剰であれば、連結桟が変形するといった危惧があり、連結桟や脚の強度も上げなければならないといった課題がある。【０００７】
そこで、本発明は、連結桟の底面および側面を保持して開脚時のがたつきを抑えるという従来の効果をそのままにしながら、開脚状態の維持をバネの弾性力に依存せず、連結桟の側面の部品の係合によって実現し、同時に、閉脚状態の解除の操作も容易にした長脚固定装置を提供することを目的とする。
【課題を解決するための手段】
【０００８】
すなわち、本発明は前記した目的を達成せんとするもので、請求項１の手段は、４本の長脚によって起立するテーブルであって、２本の長脚が桟部によって連結され、ヒンジによって揺動可能にテーブルの天板に装着された当該２本の長脚が連動して開脚および閉脚する構造のテーブルに用いる長脚固定装置において、前記天板に固定されるベースと、前記ベースに挿通されたアームピンを軸として揺動するレバーと、前記レバーの揺動と連動するアームおよびラッチと、を備え、前記アームおよび前記ラッチが、桟部に装着された受座部を把持することを特徴とする。
【０００９】
また、請求項２の手段は、請求項１に記載の長脚固定装置において、前記レバーによる操作は、第１段階で、前記レバーの揺動と連動する前記ラッチが摺動して前記受座部との係止が解除され、第２段階で、前記レバーと前記アームは連動を開始し、前記アームが揺動して前記受座部との係止が解除されることを特徴とする。
【００１０】
また、請求項３の手段は、請求項１に記載の長脚固定装置において、前記レバーの揺動と連動するフックを備え、前記フックは、前記ベースが備えるベースピンと係合し、前記アームが固定されることによって、前記桟部が係止されることを特徴とする。【００１１】
また、請求項４の手段は、請求項３に記載の長脚固定装置において、前記レバーによる操作は、第１段階で、前記レバーの揺動と連動する前記フックと前記ベースピンとの係合が解除され、第２段階で、前記レバーと前記アームは連動を開始し、前記アームが揺動して前記桟部との係止が解除されることを特徴とする。
【発明の効果】
【００１２】
本発明の長脚固定装置は、桟部をアームおよびラッチによって把持するため、開脚状態の維持を、桟部とアームを係合するための強力なバネに依存する必要がないという利点がある。また、レバーの操作によって、第１段階として長脚の固定状態の解除、第２段階としてアームの揺動という２段階の動作を可能とする機構としたことで、レバーの操作のみで長脚の固定を解除し、容易に長脚の開閉を行うことができる。
【図面の簡単な説明】
【００１３】
【図１】本発明の長脚固定装置を備えたテーブルであって、長脚固定装置が、開脚した長脚の桟部を把持した状態を示す斜視図である。
【図２】本発明の長脚固定装置を備えたテーブルであって、長脚固定装置が、開脚した長脚の桟部を把持した状態を示す底面図である。
【図３】本発明の長脚固定装置を備えたテーブルであって、長脚固定装置が、閉脚した長脚の桟部を係止した状態を示す底面図である。
【図４】本発明の長脚固定装置を備えたテーブルであって、長脚固定装置が、開脚した長脚の桟部を把持した状態を示す断面図である。
【図５】本発明の長脚固定装置の受座部の斜視図である。
【図６】本発明の長脚固定装置のラッチの斜視図である。
【図７】本発明の長脚固定装置を備えたテーブルであって、長脚固定装置による開脚した長脚の桟部の把持が解除された状態を示す断面図である。
【図８】本発明の長脚固定装置のレバーカムの斜視図である。
【図９】本発明の長脚固定装置のリンク板の斜視図である。
【図１０】本発明の長脚固定装置を備えたテーブルであって、長脚が閉脚または開脚の途中である状態を示す断面図である。
【図１１】本発明の長脚固定装置を備えたテーブルであって、長脚固定装置が、閉脚した長脚の桟部を係止した状態を示す断面図である。
【図１２】本発明の長脚固定装置のフックの斜視図である。
【図１３】本発明の長脚固定装置を備えたテーブルであって、長脚固定装置が、閉脚した長脚の桟部を係止した状態から、開脚可能となった状態を示す断面図である。
【発明を実施するための形態】
【００１４】
以下、図面を参照しながら、本発明について実施するための形態を説明する。
【実施例１】
【００１５】
本発明の長脚固定装置１は、４本の長脚によって起立するテーブルであって、２本の長脚が桟部によって連結され、ヒンジによって揺動可能にテーブルに装着された当該２本の長脚が連動して開脚および閉脚する構造のテーブルに用いる。図１は、本発明の長脚固定装置１を備えたテーブル２であって、長脚固定装置１が、開脚した２本の長脚３の桟部４を把持した状態を示す、天板５の裏面から見た斜視図である。本実施例においては、天板５の裏面側を底面と表記することがある。長脚３はヒンジ６によってテーブル２に装着され、２本の長脚３は桟部４によって連結される。図示しない他の２脚も、テーブル２の裏面に他の長脚固定装置を備えることによって、全ての長脚を把持することができる。【００１６】
図２は、本発明の長脚固定装置１を備えたテーブル２であって、長脚固定装置１が、開脚した長脚３の桟部４を把持した状態を示す底面図である。桟部の中央には、断面が略コの字型の受座部７が桟部４の３面の一部を囲むように装着される。開脚状態では、長脚固定装置１のアーム８の先端部が受座部７に係止する。受座部７の固定手段は限定されるものではないが、一例として、ネジを用いる固定手段が挙げられる。【００１７】
図３は、本発明の長脚固定装置１を備えたテーブル２であって、長脚固定装置１が、閉脚した長脚３の桟部４を係止した状態を示す底面図である。閉脚状態では、長脚固定装置１のアーム８の長板部が天板５と平行となる位置で固定される。【００１８】
図４は本発明の長脚固定装置１を備えたテーブル２であって、長脚固定装置１が、開脚した長脚３の桟部４を把持した状態を示す図２のＡ−Ａ断面図である。また、図５は、受座部７の斜視図である。アーム８は板状の部材を屈曲して形成された部品であり、内側に空間がある。アーム８の内部には、ラッチ９がアーム８の長手方向に摺動可能に収納される。図６は、ラッチ９の斜視図である。開脚状態では、ラッチ９はラッチバネ１０の付勢により爪部９ａが受座部７の開口部７ａおよび隆起部７ｂに係止する。【００１９】
ラッチ９の爪部９ａの幅は、受座部７の開口部７ａの幅より狭く、隆起部７ｂの幅より広くなるよう形成される。長脚固定装置１が、開脚した長脚３の桟部４を把持した状態では、爪部９ａは開口部７ａに進入して隆起部７ｂに当接する。このように、爪部９ａが開口部７ａおよび隆起部７ｂに係止した状態にあっては、受座部７はアーム８およびラッチ９によって把持された状態となり、受座部７が装着された桟部４と連結する長脚３の開脚状態が維持される。【００２０】
図７は、本発明の長脚固定装置１を備えたテーブル２であって、長脚固定装置１による開脚した長脚３の桟部４の把持が解除された状態を示す断面図である。切断線は、図２のＡ−Ａ線と同様である。本発明の長脚固定装置１は、レバー１１の操作によって、アーム８の内部の機構を操作する。アーム８およびレバー１１は、テーブル２の天板５に固定されるベース１２に挿通されるアームピン１３を軸として揺動する。また、アーム８およびレバー１１は、ベース１２に挿通されないカムピン１４を共通の軸として有する。カムピン１４は、レバーカム１５を揺動可能とする支軸である。ベース１２の固定手段は限定されるものではないが、一例として、ネジを用いる固定手段が挙げられる。【００２１】
図８は、レバーカム１５の斜視図である。カムピン１４が挿通されるピン穴１５ｂの径はカムピン１４の胴体部の径よりごく僅かに大きく形成され、レバー１１のピン穴１１ｂは長孔状に形成される。アーム８の図示しないピン穴の径も、ピン穴１５ｂと同様に、カムピン１４の胴体部の径よりごく僅かに大きく形成される。また、図９は、リンク板１６の斜視図である。リンク板１６の爪部１６ｂは、ラッチ９のリンク板受部９ｃと係合する。【００２２】
図７に示すように、レバー１１を操作して天板５の側に僅かに押し込むと、レバー１１の爪部１１ａと係合するレバーカム１５は、レバー１１の揺動に応じてカムピン１４を軸として揺動する。このとき、未だ揺動していないアーム８にも挿通されるカムピン１４の位置は変動しない。カムピン１４の位置が変動せずとも、レバー１１のピン穴１１ｂは長孔状であるため、アームピン１３を軸とするレバー１１の僅かな揺動は許容される。レバーカム１５は中央に掛板部１５ａを備え、リンク板１６の基部１６ａと当接し、レバーカム１５の揺動に従って、リンク板１６をレバー１１の方向に移動させる。リンク板１６は、爪部１６ｂを備え、爪部１６ｂと係合するラッチ９と連動する。ラッチ９の内側にはラッチ受１７と押板１８が配置され、ラッチ受１７および押板１８が囲む空間にラッチバネ１０が配置される。ラッチバネ１０は、圧縮コイルバネであり、ラッチ受１７の基部１７ａおよびラッチ９のバネ受部９ｂに係止し、ラッチ９およびラッチ受１７に対して常に付勢する。【００２３】
アーム８およびラッチ９が、開脚した長脚３の桟部４を把持した図２の状態においては、ラッチ９に付勢するラッチバネ１０は、爪部９ａが開口部７ａに係止した状態を維持する。ラッチ受１７および押板１８は、アーム８に係止され、ラッチ９とは連動しない。レバー１１による操作を端緒とするアーム８の内部の機構の協働によって、受座部７が装着された桟部４において、まず第１段階として、ラッチ９が摺動して受座部７との係止が解除される。このとき、把持が解除された桟部４は、図７に示すとおり、アーム８によって係止されている。【００２４】
図１０は、本発明の長脚固定装置１を備えたテーブル２であって、長脚３が閉脚または開脚の途中である状態を示す断面図である。切断線は、図２または図３のＡ−Ａ線と同様である。桟部４とラッチ９の係止が解除された状態からさらにレバー１１を押し込むと、第２段階としてカムピン１４がアーム８と係止し、レバー１１とアーム８は連動を開始し、アーム８はアームピン１３を軸として揺動する。ここで、受座部７が装着された桟部４においては、アーム８と受座部７との係止が解除され、桟部４と連結する長脚３は、閉脚が可能となる。アームピン１３は、ダブルトーション型のねじりコイルバネ１９のコイル内に挿入される。ねじりコイルバネ１９の腕部はレバー１１の図示しないバネ受部に、ねじりコイルバネ１９の中間部はベース１２のバネ受部１２ａにそれぞれ係止され、レバー１１に付勢する。そのため、レバー１１を天板５の方向に押す操作は、一定の荷重を必要とする。【００２５】
図１１は本発明の長脚固定装置１を備えたテーブル２であって、長脚固定装置１が閉脚した長脚３の桟部４を係止した状態を示す図３のＡ−Ａ断面図である。閉脚可能となった長脚３は、図１０の状態を経由して、図１１の閉脚状態に至らしめることができる。閉脚状態は、フック２０の掛部２０ａがベースピン２１に係合することによって維持される。ベースピン２１はベース１２に装着される。アーム８に装着されるフックピン２２がフック２０の支軸となり、フック２０は、アーム８の揺動とともに連動する。【００２６】
図１２は、フック２０の斜視図である。フック２０の爪部２０ｂはリンク板１６の爪受部１６ｃと係合する。フック２０は、レバー１１の揺動と連動して、リンク板１６の移動とともにフックピン２２を軸として揺動する。フックピン２２は、ダブルトーション型のねじりコイルバネ２３のコイル内に挿入される。ねじりコイルバネ２３の腕部はアーム８の図示しないバネ受部に、ねじりコイルバネ２３の中間部はフック２０のバネ受部２０ｃにそれぞれ係止され、フック２０に付勢する。長脚３が閉脚してレバー１１の荷重がなくなったときは、フック２０は、ねじりコイルバネ２３の付勢によって揺動し、ベースピン２１に係合する。フック２０がベースピン２１に係合した状態にあっては、アーム８はベース１２に対して固定され、揺動ができない。このとき、桟部４はアーム８に係止されて、長脚３は開脚することができない。【００２７】
図１３は、本発明の長脚固定装置１を備えたテーブル２であって、長脚固定装置１が、閉脚した長脚３の桟部４を係止した状態から、開脚可能となった状態を示す断面図である。切断線は、図３のＡ−Ａ線と同様である。レバー１１を操作して天板５の側に僅かに押し込むと、まず第１段階として、レバーカム１５およびリンク板１６が連動し、フック２０が揺動してフック２０とベースピン２１の係合が解除される。フック２０とベースピン２１の係合が解除された状態からさらにレバー１１を押し込むと、第２段階としてカムピン１４がアーム８と係止し、レバー１１とアーム８は連動を開始し、アーム８はアームピン１３を軸として揺動する。ここで、桟部４においては、天板５から離れる方向に揺動するアーム８と桟部４との係止が解除され、桟部４と連結する長脚３は、開脚が可能となる。開脚可能となった長脚３は、図１０の状態を経由して、図４の開脚状態に至らしめることができる。【００２８】
本発明の長脚固定装置１のアーム８には、底面側からラッチ９を視認可能とする窓８ａが設けられる。ラッチ９はレバー１１の操作によって連動するため、レバー１１が基準位置にあるときと、レバー１１が押し込まれた状態にあるときでは、窓８ａから視認できるラッチ９の部位が異なる。それぞれの位置に異なる色を配色することによって、アーム８の内部の機構の動作を確認しながら、長脚固定装置１の全体を操作することができる。【００２９】
本発明の長脚固定装置１は、桟部４をアーム８およびラッチ９によって把持するため、開脚状態の維持を、桟部４とアーム８を係合するための強力なバネに依存する必要がないという利点がある。また、レバー１１の操作によって、第１段階として長脚３の固定状態の解除、第２段階としてアーム８の揺動という２段階の動作を可能とする機構としたことで、レバー１１の操作のみで長脚３の固定を解除し、容易に長脚３の開閉を行うことができる。
【符号の説明】
【００３０】
１…長脚固定装置。
２…テーブル。
３…長脚。
４…桟部。
５…天板。
６…ヒンジ。
７…受座部。
８…アーム。
９…ラッチ。
１０…ラッチバネ。
１１…レバー。
１２…ベース。
１３…アームピン。
１４…カムピン。
１５…レバーカム。
１６…リンク板。
１７…ラッチ受。
１８…押板。
１９…ねじりコイルバネ。
２０…フック。
２１…ベースピン。
２２…フックピン。
２３…ねじりコイルバネ。
【図１】
0006850055.tif 000002
【図２】
0006850055.tif 000003
【図３】
0006850055.tif 000004
【図４】
0006850055.tif 000005
【図５】
0006850055.tif 000006
【図６】
0006850055.tif 000007
【図７】
0006850055.tif 000008
【図８】
0006850055.tif 000009
【図９】
0006850055.tif 000010
【図１０】
0006850055.tif 000011
【図１１】
0006850055.tif 000012
【図１２】
0006850055.tif 000013
【図１３】
0006850055.tif 000014